(57)【特許請求の範囲】
【請求項１】
用途が異なる先端工具が共用自在な絶縁操作棒の先端部に着脱自在に取り付けできると共に、被覆された電線を碍子に巻き付けて固定する巻付バインドを操作する巻付バインド用先端工具であって、
環状に形成したループ部を有し、このループ部の内部に前記巻付バインドを挿通自在な一組の環状綱部材と、
前記環状綱部材が前記ループ部を形成するように、前記環状綱部材の端末部同士を着脱自在に固定する台座と、を備え、
前記環状綱部材は、
前記巻付バインドの碍子係止部から電線係止部の途中まで適用され、前記巻付バインドの外周と円滑に滑り自在な絶縁チューブで被覆され、所定の外径を有して、前記ループ部の変形が困難な第１環状綱部材と、
前記巻付バインドの電線係止部の途中から末端部に至るまで適用され、前記巻付バインドの外周と円滑に滑り自在な撚線で構成し、前記第１環状綱部材の外径より細い外径を有して、前記ループ部の変形が容易な第２環状綱部材と、で構成し、
前記ループ部の内部に前記巻付バインドを挿通して、前記電線の周囲を旋回することで、前記巻付バインドを前記電線に巻回自在、又は前記巻付バインドを前記電線から取り外し自在な、巻付バインド用先端工具。
【請求項２】
前記台座は、略円形の第１の菊座と底面から前記第１の菊座の中心部に向かって切り欠かれた切り欠き溝を有する第１の菊座部を基端部に備え、
前記第１の菊座部は、前記絶縁操作棒の先端部に接続される菊座アダプタに設けた第２の菊座部と接続され、
前記第２の菊座部は、
前記第１の菊座に対向配置される略円形の第２の菊座と、
前記第２の菊座の中心部から突出し、前記切り欠き溝に挿通自在な雄ねじ部と、
前記雄ねじ部に螺合して、前記第１の菊座と前記第２の菊座を締結させる蝶ナットと、を有する、請求項１記載の巻付バインド用先端工具。
【請求項３】
前記絶縁操作棒は、先端部側に向かって突出する軸部、及び、この軸部の外周方向に相反する向きに突出する一対のピンを先端部に備え、
前記台座は、底面が開口され、前記軸部が嵌合する軸穴、及び、一対の前記ピンが係合自在な一対のＴ字状の係合溝を有する円筒状の接続金具を基端部に備える、請求項１記載の巻付バインド用先端工具。
【発明の詳細な説明】
【技術分野】
【０００１】
本発明は、巻付バインド用先端工具に関する。特に、無停電状態で電気工事を実施する間接活線工事に適した絶縁操作棒の先端部に取り付ける先端工具であって、電柱に架設された被覆電線を碍子に巻き付けて固定する巻付バインドを操作する巻付バインド用先端工具の構造に関する。
【背景技術】
【０００２】
一般に、碍子は、磁器を素材に構成され、電柱に支持された腕金などに取り付けられている。そして、碍子は、高圧の電線（被覆電線）を絶縁支持している。このような碍子の内、ピン碍子は、ピン状の金属棒の上部に傘状の絶縁体（磁器）を装着している。
【０００３】
ピン碍子は、巻付バインドと呼ばれる成形された硬質の金属線を用いて、電線を固定（緊縛）している。例えば、巻付バインドは、ピン碍子の首部に係合できる半円弧状の碍子係止部、及び碍子係止部から電線が延在する方向に延び、電線の外周を巻回自在な一対の螺旋状の電線係止部で構成している。一般に、このような巻付バインドは、絶縁被覆で覆われている。
【０００４】
電線に巻付バインドを巻き付ける場合、又は電線から巻付バインドを取り外す場合には、先端工具が用いられている。先端工具は、絶縁操作棒の先端部に取り付けられている。絶縁操作棒は、無停電状態で電気工事を実施する間接活線工事に適している。
【０００５】
図１３は、従来技術による巻付バインド用先端工具の構成を示す図であり、図１３（Ａ）は、巻付バインド用先端工具の正面図、図１３（Ａ）は、巻付バインド用先端工具の左側面図である。図１３を参照すると、従来技術による巻付バインド用先端工具（以下、先端工具と略称する）９は、円盤状の菊座部９１を基端部に備えている。菊座部９１は、後述する菊座アダプタ８の先端部に設けた菊座部８２に着脱できる（図１２参照）。
【０００６】
又、図１３（Ａ）を参照すると、先端工具９は、先端部側が二股に分岐している。先端工具９は、リング部９ｒを一方の先端部に備えている。リング部９ｒは、内部に向かって突出する一対の突起９１ｔ・９１ｔを備えている。一対の突起９１ｔ・９１ｔは、対向するように配置されている。又、先端工具９は、ピッケル形状の差込部９ｐを他方の先端部に備えている。差込部９ｐは、一対のブレード９０ｂ・９０ｂを両端部に有している。図１３に示した先端工具９は、例えば、菊座付きの巻付グリップと呼ばれている。
【０００７】
図１３を参照して、先端工具９に菊座アダプタ８を取り付ける（図１２参照）。更に、菊座アダプタ８を絶縁操作棒７の先端部に取り付ける（図１０又は図１１参照）。以上の状態で、巻付バインドをその端部からリング部９ｒの内部に導入し、巻付バインドの中央部から端部に向かってリング部９ｒを移動すると共に、電線の周囲を螺進させることで、電線の周囲に巻付バインドを巻き付けることができる。
【０００８】
一方、図１３を参照して、巻付バインドを電線から取り外す場合には、一方のブレード９０ｂを電線の外周と巻付バインドの間に挿入し（図１６参照）、電線の外周から巻付バインドを離隔させる。巻付バインドをその端部からリング部９ｒの内部に導入し、巻付バインドの中央部から端部に向かってリング部９ｒを移動すると共に、電線の周囲を巻回時と逆方向に螺進させることで、電線から巻付バインドを取り外すことができる。
【０００９】
しかし、図１３を参照すると、リング部９ｒは金属製であるので、巻付バインドをリング部９ｒの内部に導入して、巻付バインドにスライドさせながら螺進させると、巻付バインドの絶縁被覆を損傷させる心配があった。又、リング部９ｒが電線に接触して、電線の絶縁被覆を損傷させる心配があった。
【００１０】
このようなことから、図１３を参照して、ループ形状に結んだ紐（図示せず）を突起９１ｔに係止すると共に、この紐の内部に巻付バインドを導入し、巻付バインドの中央部から端部に向かってこの紐を羅進させることで、巻付バインド及び電線を損傷させることなく、電線に巻付バインドを巻回できる。
【００１１】
しかし、変形が容易な紐では、そのループが閉じてしまうことがあり、絶縁操作棒７を用いて（図１０参照）、紐の内部に巻付バインドを導入することが困難である、という不具合があった。
【００１２】
このような不具合に対処するために、巻付バインドの端部に装着でき、絶縁操作棒を用いて、巻付バインド及び電線を損傷させることなく、電線に巻付バインドを容易に巻回できる、巻付バインド用補助具が開示されている（例えば、特許文献１参照）。
【先行技術文献】
【特許文献】
【００１３】
【特許文献１】特開２００７−２４２５０１号公報
【発明の概要】
【発明が解決しようとする課題】
【００１４】
図６は、従来技術による巻付バインド用補助具の構成を示す斜視図である。図７は、一例による巻付バインドの構成を示す平面図である。図８は、一例による巻付バインドの構成を示す斜視図であり、ピン碍子及び電線に巻付バインドを巻き付けた状態図である。図９は、一例による巻付バインドの構成を示す平面図であり、横断面で示したピン碍子及び電線に巻付バインドを巻き付けた状態図である。なお、本願の図６から図９は、特許文献１の図１から図４に相当している。
【００１５】
又、図１０は、絶縁操作棒の一例による構成を示す正面図である。図１１は、絶縁操作棒の先端部に設けた工具部を拡大した斜視図である。図１２は、操作棒の工具部に装着可能な菊座アダプタの一例による構成を示す正面図である。
【００１６】
図１３は、従来技術による巻付バインド用先端工具の構成を示す図であり、図１３（Ａ）は、巻付バインド用先端工具の正面図、図１３（Ａ）は、巻付バインド用先端工具の左側面図である。図１４は、従来技術による巻付バインド用先端工具の構成を示す背面図であり、巻付バインド用先端工具に菊座アダプタを装着した状態図である。
【００１７】
図１５は、従来技術による巻付バインド用補助具の構成を示す斜視図であり、電線に巻付バインドを巻き付けている状態図である。図１６は、従来技術による巻付バインド用先端工具の要部を拡大した斜視図であり、電線から巻付バインドを取り外している状態図である。なお、本願の図１５は、特許文献１の図８に相当し、本願の図１６は、特許文献１の図９に相当している。
【００１８】
図６を参照すると、従来技術による巻付バインド用補助具（以下、補助具と略称する）Ｃは、例えば、塩化ビニル樹脂製の一本のチューブ（線状材料）で構成している。そして、補助具Ｃは、一対の延在部Ｃｅ・Ｃｅと結部Ｃｊで閉じられループ部Ｃｒを備えている。一対の延在部Ｃｅ・Ｃｅは、一本のチューブを折り返すと共に、両端部を略揃えて一重結びにすることにより、端末に開口Ｃｋを設けた状態で延在している。ループ部Ｃｒは、延在部Ｃｅから結部Ｃｊを介して連設されている。
【００１９】
図７を参照すると、巻付バインドＢは、鋼線などからなり、その外周は絶縁被覆されている。巻付バインドＢは、中央部に形成した碍子係止部Ｂｇと碍子係止部Ｂｇの両側に延びる一対の電線係止部Ｂｗ・Ｂｗで構成している。碍子係止部Ｂｇは、半円弧状に形成している。そして、碍子係止部Ｂｇは、図８又は図９に示すように、碍子Ｇの外周から窪んだ首部Ｇｎに電線Ｗを係止できる。
【００２０】
図７を参照すると、電線係止部Ｂｗは、碍子係止部Ｂｇから末端部Ｂｔに至るまで螺旋状に形成している。そして、電線係止部Ｂｗは、図８又は図９に示すように、電線Ｗを巻回できる。電線係止部Ｂｗの末端部Ｂｔは、後述するように、補助具Ｃの末端部Ｂｔの開口Ｃｋに挿入できる。
【００２１】
次に、巻付バインドＢを操作するための絶縁操作棒の構成を説明する。図１０又は図１１を参照すると、絶縁操作棒７は、工具部７１、柄部７２、及び把持部７３を備えている。工具部７１は、後述する菊座アダプタ８（図１２参照）を着脱可能となっている。把持部７３は、作業員が把持し易いように滑り止めが施されている。柄部７２は、工具部７１と把持部７３とを連結し、絶縁性を有する長尺の管体からなっている。
【００２２】
図１０を参照すると、柄部７２の中間部には、円錐体状の水切り鍔７ａを取り付けている。水切り鍔７ａは、工具部７１から進出する水を堰き止めることができる。又、柄部７２と把持部７３との接続部には、円錐体状の限界鍔７ｂを取り付けている。限界鍔７ｂの取付け位置は、絶縁性を考慮して安全に作業できる限界を示している。
【００２３】
図１０又は図１１を参照すると、工具部７１は、軸部７１ａ、一対のピン７１ｂ・７１ｂ、プッシュロッド７１ｃ、及びプッシュリング７１ｄを有している。軸部７１ａは、柄部７２の軸方向に突出している。一対のピン７１ｂ・７１ｂは、相反する向きに軸部７１ａの外周から突出している。プッシュロッド７１ｃは、軸部７１ａの先端面から突出するように、工具部７１に内蔵された圧縮コイルばね（図示せず）によって、力を付勢されている。プッシュリング７１ｄは、軸部７１ａの下方に配置されている。プッシュリング７１ｄは、図示しない圧縮コイルばねによって、軸部７１ａに向かう力を付勢されている。
【００２４】
図１０又は図１１に示した絶縁操作棒７は、用途の異なる先端工具を先端部に交換自在に共用できることから、共用操作棒と呼ばれている。
【００２５】
次に、菊座アダプタの構成を説明する。図１２を参照すると、菊座アダプタ８は、絶縁操作棒７の工具部７１に着脱自在に取り付けできる（図１０又は図１１参照）。菊座アダプタ８は、円筒状の接続部８１と菊座部８２で構成している。接続部８１は、菊座アダプタ８の基端部側に設けられている。一方、菊座部８２は、菊座アダプタ８の先端部側に設けられている。
【００２６】
図１２を参照すると、接続部８１は、底面が開口された円筒状に形成している。接続部８１は、軸部７１ａ（図１１参照）が嵌合する軸穴８１ａを有している。又、接続部８１は、一対のＴ字状の係合溝８１ｂ・８１ｂを有している。一対のピン７１ｂ・７１ｂ（図１１参照）を軸穴８１ａの軸方向に挿入した後に、一対のピン７１ｂ・７１ｂを軸穴８１ａの周方向に回動することで、係合溝８１ｂ・８１ｂに係合できる。このような係合手段は、ツイストロックと呼ばれている。そして、工具部７１と接続部８１が嵌合した状態では、プッシュロッド７１ｃが軸穴８１ａの上壁を弾圧すると共に、プッシュリング７１ｄが接続部８１の底面に当接して、菊座アダプタ８を工具部７１に確実に固定できる。
【００２７】
図１２を参照すると、菊座部８２は、略円形の菊座８２ａ及び雄ねじ部８２ｂを備えている。菊座８２ａは、その表面から僅かに突出する複数の凸条８２１を円周上に配列している。雄ねじ部８２ｂは、菊座８２ａの略中心から立設している。又、雄ねじ部８２ｂには、蝶ナット８３を螺合できる。
【００２８】
一方、図１３を参照すると、先端工具９は、菊座部９１を基端部に備えている。菊座部９１は、略円形の菊座９１ａと切り欠き溝９１ｂを有している。菊座９１ａは、その表面から僅かに突出する複数の凸条９１１を円周上に配列している。切り欠き溝９１ｂは、菊座部９１の底面から中心部に向かって切り欠かれている。
【００２９】
図１０から図１３を参照して、菊座アダプタ８を絶縁操作棒７の工具部７１に固定し、菊座８２ａと菊座９１ａが当接するように、切り欠き溝９１ｂに雄ねじ部８２ｂを挿通し、蝶ナット８３を雄ねじ部８２ｂに締結することで、絶縁操作棒７が延びる方向に対して先端工具９を任意の傾き角度に設定できる（図１４参照）。
【００３０】
次に、従来技術による補助具を用いた巻付バインドの取り付け方法を説明する。最初に、図１５を参照して、補助具Ｃを二つ用意する。次に、延在部Ｃｅの末端の開口Ｃｋに（図６参照）、巻付バインドＢの末端部Ｂｔを差し込んで、巻付バインドＢから補助具Ｃが脱落しないように係止させる。
【００３１】
次に、図１５を参照して、開閉自在な一対の把持腕６１ａ・６１ｂで構成した工具部６１を先端部に備えた絶縁操作棒（いわゆる、絶縁ヤットコ）６を用いて、巻付バインドＢを一対の把持腕６１ａ・６１ｂで把持し、碍子係止部Ｂｇを碍子Ｇの首部Ｇｎに係止する。
【００３２】
次に、図１５を参照して、補助具Ｃのループ部Ｃｒを一対の把持腕６１ａ・６１ｂで把持する。次に、絶縁操作棒６を操作して、電線Ｗが延在する方向と略直交する方向に、ループ部Ｃｒを介して巻付バインドＢの末端部Ｂｔを牽引する。
【００３３】
次に、図１５を参照して、絶縁操作棒６を操作して、ループ部Ｃｒを介して巻付バインドＢの末端部Ｂｔを牽引しながら、巻付バインドＢの電線係止部Ｂｗを電線Ｗの周囲に巻き付ける方向に旋回することで、電線係止部Ｂｗを電線Ｗに巻き付けることができる。
【００３４】
次に、従来技術による補助具を用いた巻付バインドの取り外し方法を説明する。最初に、図１６を参照して、先端工具９を用いて（図１３又は図１４参照）、差込部９ｐのブレード９０ｂを巻付バインドＢの末端部Ｂｔと電線Ｗの間に差し込んで、末端部Ｂｔを電線Ｗの外周面から離隔した状態にする。
【００３５】
次に、絶縁操作棒６を用いて（図１５参照）、補助具Ｃのループ部Ｃｒの内部空間Ｃｓに（図６参照）、一対の把持腕６１ａ・６１ｂを差し込んで、一対の把持腕６１ａ・６１ｂを閉じた状態にする。この場合、一対の把持腕６１ａ・６１ｂが結部Ｃｊ側に配置されることが好ましい。
【００３６】
次に、絶縁操作棒６を用いて（図１５参照）、補助具Ｃのループ部Ｃｒを巻付バインドＢの一方の末端部Ｂｔに引っ掛けて（図１６参照）、巻付バインドＢの電線係止部Ｂｗを電線Ｗの周囲から取り外す方向に旋回することにより、電線Ｗから巻付バインドＢを取り外すことができる。
【００３７】
このように、従来技術による巻付バインド用補助具は、絶縁操作棒を用いて、巻付バインド及び電線を損傷させることなく、電線に巻付バインドを容易に巻回できる。
【００３８】
しかし、従来技術による巻付バインド用補助具は、間接活線作業では、巻付バインド用補助具の延出部の端部に形成された開口に巻付バインドの末端部を挿入することが容易でないという問題がある。又、巻付バインドの電線係止部は、碍子係止部から末端部に向けて、巻回に対する反力が強くなるので、巻付バインド用補助具が巻付バインドから外れ易いという問題がある。
【００３９】
間接活線作業で巻付バインドを容易に操作できると共に、巻付バインドを電線に確実に巻回、又は巻付バインドを電線から確実に取り外すことができる巻付バインド用先端工具が求められている。そして、以上のことが本発明の課題といってよい。
【００４０】
本発明は、このような課題に鑑みてなされたものであり、間接活線作業で巻付バインドを容易に操作できると共に、巻付バインドを電線に確実に巻回、又は巻付バインドを電線から確実に取り外すことができる巻付バインド用先端工具を提供することを目的とする。
【課題を解決するための手段】
【００４１】
本発明者らは、用途が異なる先端工具が共用自在な絶縁操作棒の先端部に着脱自在に取り付ける先端工具であって、この先端工具に環状に形成した環状綱部材を設け、環状綱部材の内部に巻付バインドを挿通し、絶縁操作棒を用いて、環状綱部材を電線の回りに旋回させることで、巻付バインドを電線に確実に巻回、又は巻付バインドを電線から確実に取り外すことができると考え、これに基づいて、以下のような新たな巻付バインド用先端工具を発明するに至った。
【００４２】
（１）本発明による巻付バインド用先端工具は、用途が異なる先端工具が共用自在な絶縁操作棒の先端部に着脱自在に取り付けできると共に、被覆された電線を碍子に巻き付けて固定する巻付バインドを操作する巻付バインド用先端工具であって、環状に形成したループ部を有し、このループ部の内部に前記巻付バインドを挿通自在な一つ以上の環状綱部材と、前記環状綱部材が前記ループ部を形成するように、前記環状綱部材の端末部同士を着脱自在に固定する台座と、を備え、前記ループ部の内部に前記巻付バインドを挿通して、前記電線の周囲を旋回することで、前記巻付バインドを前記電線に巻回自在、又は前記巻付バインドを前記電線から取り外し自在である。
【００４３】
（２）前記環状綱部材は、前記巻付バインドの碍子係止部から電線係止部の途中まで適用され、前記巻付バインドの外周と円滑に滑り自在な絶縁チューブで被覆され、所定の外径を有して、前記ループ部の変形が困難な第１環状綱部材と、前記巻付バインドの電線係止部の途中から末端部に至るまで適用され、前記巻付バインドの外周と円滑に滑り自在な撚線で構成し、前記第１環状綱部材の外径より細い外径を有して、前記ループ部の変形が容易な第２環状綱部材と、で構成していることが好ましい。
【００４４】
（３）前記台座は、略円形の第１の菊座と底面から前記第１の菊座の中心部に向かって切り欠かれた切り欠き溝を有する第１の菊座部を基端部に備え、前記第１の菊座部は、前記絶縁操作棒の先端部に接続される菊座アダプタに設けた第２の菊座部と接続され、前記第２の菊座部は、前記第１の菊座に対向配置される略円形の第２の菊座と、前記第２の菊座の中心部から突出し、前記切り欠き溝に挿通自在な雄ねじ部と、前記雄ねじ部に螺合して、前記第１の菊座と前記第２の菊座を締結させる蝶ナットと、を有してもよい。
【００４５】
（４）前記絶縁操作棒は、先端部側に向かって突出する軸部、及び、この軸部の外周方向に相反する向きに突出する一対のピンを先端部に備え、前記台座は、底面が開口され、前記軸部が嵌合する軸穴、及び、一対の前記ピンが係合自在な一対のＴ字状の係合溝を有する円筒状の接続金具を基端部に備えてもよい。
【発明の効果】
【００４６】
本発明による巻付バインド用先端工具は、環状綱部材の内部に巻付バインドを挿通し、絶縁操作棒を用いて、環状綱部材を電線の回りに旋回させることで、巻付バインドを電線に確実に巻回、又は巻付バインドを電線から確実に取り外すことができる。
【００４７】
又、本発明による巻付バインド用先端工具は、巻付バインドの外周と円滑に滑り自在な絶縁チューブで被覆され、ループ部の変形が困難な第１環状綱部材と、巻付バインドの外周と円滑に滑り自在な撚線で構成し、ループ部の変形が容易な第２環状綱部材と、で構成しているので、巻付バインドの碍子係止部から電線係止部の途中までは、第１環状綱部材で巻付バインドを容易に巻回でき、巻付バインドの電線係止部の途中から末端部に至るまでは、第２環状綱部材で容易に巻回できる。
【図面の簡単な説明】
【００４８】
【図１】本発明の第１実施形態による巻付バインド用先端工具の構成を示す斜視分解組立図である。
【図２】第１実施形態による巻付バインド用先端工具の構成を示す正面図である。
【図３】第１実施形態による巻付バインドの構成を示す平面図であり、巻付バインドの碍子係止部から電線係止部の途中まで第１環状綱部材で係合した状態図である。
【図４】第１実施形態による巻付バインドの構成を示す平面図であり、巻付バインドの電線係止部の途中から末端部に至るまで第２環状綱部材で係合した状態図である。
【図５】本発明の第２実施形態による巻付バインド用先端工具の構成を示す正面図である。
【図６】従来技術による巻付バインド用補助具の構成を示す斜視図である。
【図７】一例による巻付バインドの構成を示す平面図である。
【図８】一例による巻付バインドの構成を示す斜視図であり、ピン碍子及び電線に巻付バインドを巻き付けた状態図である。
【図９】一例による巻付バインドの構成を示す平面図であり、横断面で示したピン碍子及び電線に巻付バインドを巻き付けた状態図である。
【図１０】絶縁操作棒の一例による構成を示す正面図である。
【図１１】絶縁操作棒の先端部に設けた工具部を拡大した斜視図である。
【図１２】操作棒の工具部に装着可能な菊座アダプタの一例による構成を示す正面図である。
【図１３】従来技術による巻付バインド用先端工具の構成を示す図であり、図１３（Ａ）は、巻付バインド用先端工具の正面図、図１３（Ａ）は、巻付バインド用先端工具の左側面図である。
【図１４】従来技術による巻付バインド用先端工具の構成を示す背面図であり、巻付バインド用先端工具に菊座アダプタを装着した状態図である。
【図１５】従来技術による巻付バインド用補助具の構成を示す斜視図であり、電線に巻付バインドを巻き付けている状態図である。
【図１６】従来技術による巻付バインド用先端工具の要部を拡大した斜視図であり、電線から巻付バインドを取り外している状態図である。
【発明を実施するための形態】
【００４９】
以下、図面を参照して本発明を実施するための形態を説明する。
［第１実施形態］
（巻付バインド用先端工具の構成）
最初に、本発明の第１実施形態による巻付バインド用先端工具の構成を説明する。
【００５０】
図１は、本発明の第１実施形態による巻付バインド用先端工具の構成を示す斜視分解組立図である。図２は、第１実施形態による巻付バインド用先端工具の構成を示す正面図である。
【００５１】
図３は、第１実施形態による巻付バインドの構成を示す平面図であり、巻付バインドの碍子係止部から電線係止部の途中まで第１環状綱部材で係合した状態図である。図４は、第１実施形態による巻付バインドの構成を示す平面図であり、巻付バインドの電線係止部の途中から末端部に至るまで第２環状綱部材で係合した状態図である。なお、従来技術で用いた符号と同じ符号を付した構成品は、その作用を同じとするので、説明を省略することがある。
【００５２】
（全体構成）
図１又は図２を参照すると、本発明の第１実施形態による巻付バインド用先端工具（以下、先端工具と略称する）１０は、第１環状綱部材１、第２環状綱部材２、及び円柱状の台座３を備えている。第１環状綱部材１は、環状に形成したループ部１ｒを有している。ループ部１ｒの内部には、巻付バインドＢを挿通できる（図３参照）。同様に、第２環状綱部材２は、環状に形成したループ部２ｒを有している。ループ部２ｒの内部には、巻付バインドＢを挿通できる（図４参照）。
【００５３】
図１又は図２を参照すると、台座３は、第１環状綱部材１がループ部１ｒを形成するように、第１環状綱部材１の一対の端末部１ｔ・１ｔを着脱自在に固定できる。同様に、台座３は、第２環状綱部材２がループ部２ｒを形成するように、第２環状綱部材２の一対の端末部２ｔ・２ｔを着脱自在に固定できる。
【００５４】
図１又は図２を参照すると、台座３は、第１の菊座部３１を基端部に備えている。第１の菊座部３１は、菊座アダプタ８に設けた第２の菊座部８２と接続できる。菊座アダプタ８は、絶縁操作棒７の先端部に着脱自在に取り付けできる（図１０又は図１１）。
【００５５】
図３を参照して、第１環状綱部材１は、巻付バインドＢの碍子係止部Ｂｇから電線係止部Ｂｗの途中まで適用されることが好ましい。ループ部１ｒの内部に巻付バインドＢを挿通して、電線Ｗの周囲を旋回することで、巻付バインドＢを電線Ｗに巻回できる。
【００５６】
図４を参照して、第２環状綱部材２は、巻付バインドＢの碍子係止部Ｂｇの途中から末端部Ｂｔに至るまでされることが好ましい。ループ部２ｒの内部に巻付バインドＢを挿通して、電線Ｗの周囲を旋回することで、巻付バインドＢを電線Ｗに巻回できる。
【００５７】
（第１環状綱部材の構成）
図１又は図２を参照して、第１環状綱部材１は、金属細線を撚り合わせたワイヤーロープに合成樹脂からなる絶縁チューブで被覆することが好ましい。前記絶縁チューブは、巻付バインドＢの外周と円滑に滑り自在な素材で構成することが好ましい。第１環状綱部材１は、所定の外径ｄ１を有し（図１参照）、ループ部１ｒの変形が困難な程度に構成することが好ましい。
【００５８】
（第２環状綱部材の構成）
図１又は図２を参照して、第２環状綱部材２は、化学繊維を撚り合わせた撚線で構成することが好ましい。前記撚線は、巻付バインドＢの外周と円滑に滑り自在な素材で構成することが好ましい。第２環状綱部材２は、第１環状綱部材１の外径ｄ１より細い外径ｄ２を有し（図１参照）、ループ部２ｒの変形が容易な程度に構成することが好ましい。
【００５９】
（台座の構成）
図１又は図２を参照すると、台座３は、台座本体３０と一対の押え板３２・３３で構成している。台座本体３０は、その外周の一部が平坦に形成され、相反する向きに向かう一対の平坦面３ｆ・３ｆを有している。一方の平坦面３ｆには、押え板３２を対向配置できる。他方の平坦面３ｆには、押え板３３を対向配置できる。
【００６０】
図１を参照すると、一方の平坦面３ｆには、一対の半円弧状の溝３０１・３０１を形成している。溝３０１には、第１環状綱部材１の端末部１ｔをその外周方向から導入できる。押え板３２は、一対の半円弧状の溝３２１・３２１を一方の面に形成している。溝３２１には、第１環状綱部材１の端末部１ｔをその外周方向から導入できる。
【００６１】
図１を参照すると、台座本体３０は、雌ねじ部３０ｓを一方の平坦面３ｆの中央部に形成している。端末部１ｔを溝３０１に導入した状態で、押え板３２を介して、ボルト部材３５を雌ねじ部３０ｓに締結することで、一対の端末部１ｔ・１ｔを挟持できる（図２参照）。ボルト部材３５を弛めることで、台座３から第１環状綱部材１を取り外すことができる。
【００６２】
図１を参照すると、他方の平坦面３ｆには、一対の半円弧状の溝３０２・３０２を形成している。溝３０２には、第２環状綱部材２の端末部２ｔをその外周方向から導入できる。押え板３３は、一対の半円弧状の溝３３２・３３２を一方の面に形成している。溝３３２には、第２環状綱部材２の端末部２ｔをその外周方向から導入できる。
【００６３】
図１を参照すると、台座本体３０は、雌ねじ部３０ｓを他方の平坦面３ｆの中央部に形成している。端末部２ｔを溝３３２に導入した状態で、押え板３３を介して、ボルト部材３５を雌ねじ部３０ｓに締結することで、一対の端末部２ｔ・２ｔを挟持できる（図２参照）。ボルト部材３５を弛めることで、台座３から第２環状綱部材２を取り外すことができる。
【００６４】
図１又は図２を参照して、第１環状綱部材１は、予めループ部１ｒを形成しておく必要は無く、一対の端末部１ｔ・１ｔを台座３に固定した時点で、ループ部１ｒを形成できる。同様に、第２環状綱部材２は、予めループ部２ｒを形成しておく必要は無く、一対の端末部２ｔ・２ｔを台座３に固定した時点で、ループ部２ｒを形成できる。
【００６５】
（第１の菊座部の構成）
図１又は図２を参照すると、第１の菊座部３１は、台座本体３０の底部から延びる棒状部材３ｓの末端部に固定されている。そして、第１の菊座部３１は、略円形の第１の菊座３１ａと切り欠き溝３１ｂを有している。菊座３１ａは、その表面から僅かに突出する複数の凸条３１１を円周上に配列している。切り欠き溝３１ｂは、菊座部９１の底面から中心部に向かって切り欠かれている。
【００６６】
（菊座アダプタの構成）
図１又は図２を参照すると、菊座アダプタ８は、円筒状の接続部８１と第２の菊座部８２で構成している。接続部８１は、菊座アダプタ８の基端部側に設けられている。一方、第２の菊座部８２は、菊座アダプタ８の先端部側に設けられている。
【００６７】
図１又は図２を参照すると、第２の菊座部８２は、略円形の第２の菊座８２ａ及び雄ねじ部８２ｂを備えている。第２の菊座８２ａは、その表面から僅かに突出する複数の凸条８２１を円周上に配列している。雄ねじ部８２ｂは、第２の菊座８２ａの略中心から立設している。又、雄ねじ部８２ｂには、蝶ナット８３を螺合できる。図１又は図２に示した菊座アダプタ８は、図１２又は図１４に示した菊座アダプタ８と同じものであるが、説明の必要上、一部の記載を重複している。
【００６８】
図１又は図２及び図１０を参照して、菊座アダプタ８を絶縁操作棒７の工具部７１に固定し、第１の菊座３１ａと第２の菊座８２ａが当接するように、切り欠き溝３１ｂに雄ねじ部８２ｂを挿通し、蝶ナット８３を雄ねじ部８２ｂに締結することで、絶縁操作棒７が延びる方向に対して先端工具１０を任意の傾き角度に設定できる。
【００６９】
（巻付バインド用先端工具の作用）
次に、第１実施形態による先端工具１０の巻付バインドの取り付け方法を説明しながら、先端工具１０の作用及び効果を説明する。最初に、図３を参照して、絶縁操作棒６を用いて、巻付バインドＢを一対の把持腕６１ａ・６１ｂで把持し（図１５参照）、碍子係止部Ｂｇを碍子Ｇの首部Ｇｎに係止する。
【００７０】
次に、図３を参照して、ループ部１ｒの内部に巻付バインドＢを挿通して、巻付バインドＢの碍子係止部Ｂｇから電線係止部Ｂｗの途中まで、電線Ｗが延在する方向と略直交する方向に、巻付バインドＢを第１環状綱部材１で牽引しながら、電線Ｗの周囲を一方の方向に旋回することで、巻付バインドＢを電線Ｗに巻回できる。
【００７１】
次に、図４を参照して、電線係止部Ｂｗの途中から第１環状綱部材１に替えて、ループ部２ｒの内部に巻付バインドＢを挿通して、巻付バインドＢの末端部Ｂｔまで、電線Ｗが延在する方向と鋭角に交差する方向に、巻付バインドＢを第２環状綱部材２で牽引しながら、電線Ｗの周囲を一方の方向に旋回することで、巻付バインドＢを電線Ｗに巻回できる。
【００７２】
図３又は図４を参照して、電線係止部Ｂｗの途中から第１環状綱部材１を第２環状綱部材２に替えるのは、電線係止部Ｂｗの途中から末端部Ｂｔまでは、電線Ｗと巻付バインドＢが密着するように間隙が少なくなるので、太径の第１環状綱部材１では、巻付バインドＢ上を移動することが困難になるからである。なお、前述の逆の手順で、電線Ｗから巻付バインドＢを取り外すことができる。
【００７３】
実施形態による先端工具１０は、巻付バインドＢの碍子係止部Ｂｇから電線係止部Ｂｗの途中までは、第１環状綱部材１で巻付バインドＢを容易に巻回でき、巻付バインドＢの電線係止部Ｂｗの途中から末端部Ｂｔに至るまでは、第２環状綱部材２で容易に巻回できる。
【００７４】
又、実施形態による先端工具１０は、巻付バインドＢの電線係止部Ｂｗの途中から末端部Ｂｔに至るまでは、第２環状綱部材２で電線Ｗから巻付バインドＢを容易に取り外しでき、巻付バインドＢの碍子係止部Ｂｇから電線係止部Ｂｗの途中までは、第１環状綱部材１で電線Ｗから巻付バインドＢを容易に取り外しできる。
【００７５】
実施形態による先端工具１０は、第１環状綱部材１が巻付バインドＢの外周と円滑に滑り自在な絶縁チューブで被覆され、第２環状綱部材２が巻付バインドＢの外周と円滑に滑り自在な撚線で構成しているので、電線Ｗの被覆及び巻付バインドＢの被覆を損傷することなく、作業できる。
【００７６】
［第２実施形態］
（巻付バインド用先端工具の構成）
次に、本発明の第２実施形態による巻付バインド用先端工具の構成を説明する。図５は、本発明の第２実施形態による巻付バインド用先端工具の構成を示す正面図である。なお、第１実施形態で用いた符号と同じ符号を付した構成品は、その作用を同じとするので、説明を省略することがある。
【００７７】
（全体構成）
図５を参照すると、本発明の第２実施形態による巻付バインド用先端工具（以下、先端工具と略称する）２０は、第１環状綱部材１と第２環状綱部材２を備えている。又、先端工具２０は、円柱状の台座３と円筒状の接続金具４を備えている。
【００７８】
図５を参照すると、第１環状綱部材１は、環状に形成したループ部１ｒを有している。ループ部１ｒの内部には、巻付バインドＢを挿通できる（図３参照）。同様に、第２環状綱部材２は、環状に形成したループ部２ｒを有している。ループ部２ｒの内部には、巻付バインドＢを挿通できる（図４参照）。
【００７９】
図５を参照すると、台座３は、第１環状綱部材１がループ部１ｒを形成するように、第１環状綱部材１の一対の端末部１ｔ・１ｔを着脱自在に固定できる。同様に、台座３は、第２環状綱部材２がループ部２ｒを形成するように、第２環状綱部材２の一対の端末部２ｔ・２ｔを着脱自在に固定できる。
【００８０】
図５を参照すると、台座３は、接続金具４を基端部に備えている。接続金具４は、絶縁操作棒７の先端部に着脱自在に取り付けできる（図１０又は図１１）。
【００８１】
（接続金具の構成）
図５を参照すると、接続金具４は、台座本体３０の底部から延びる棒状部材４ｓの末端部に固定されている。接続金具４は、底面が開口された円筒状に形成している。接続金具４は、軸部７１ａ（図１１参照）が嵌合する軸穴４１ａを有している。又、接続金具４は、一対のＴ字状の係合溝４１ｂ・４１ｂを有している。一対のピン７１ｂ・７１ｂ（図１１参照）を軸穴４１ａの軸方向に挿入した後に、一対のピン７１ｂ・７１ｂを軸穴４１ａの周方向に回動することで、係合溝４１ｂ・４１ｂに係合できる。
【００８２】
第２実施形態による先端工具２０は、第１実施形態による先端工具１０と同様に構成しているが、第１実施形態による先端工具１０が台座３の基端部に第１の菊座部３１を設けたのに対し（図１又は図２参照）、第２実施形態による先端工具２０は、台座３の基端部に接続金具４を設けているという、構成の違いがある。
【００８３】
（巻付バインド用先端工具の作用）
次に、第２実施形態による先端工具２０の作用及び効果を説明する。第２実施形態による先端工具２０は、第１実施形態による先端工具１０と同様の効果を奏するが、第１実施形態による先端工具１０が絶縁操作棒７が延びる方向に対して先端工具１０を任意の傾き角度に設定できるのに対し（図１０参照）、第２実施形態による先端工具２０は、絶縁操作棒７に直結できるという効果がある。
【００８４】
本発明による巻付バインド用先端工具は、以下の効果を期待できる。
（１）綱部材取り替えることが容易である。
（２）構造が簡易である。
（３）第１環状綱部材又は第２環状綱部材が摩耗しても交換が容易である。
（４）綱部材であるので、作業位置による作業効率が変わらない。
（５）電線及び巻付バインドを損傷させる心配がない。
【００８５】
本発明による巻付バインド用先端工具は、巻付バインドを電線に巻き付ける先端工具を開示したが、巻付バインドを防護管に巻き付ける先端工具としての応用が期待される。
【符号の説明】
【００８６】
１１  第１環状綱部材
１ｒ  ループ部
１ｔ  端末部
２  第２環状綱部材
２ｒ  ループ部
２ｔ  端末部
３  台座
７  絶縁操作棒
Ｂ  巻付バインド
Ｂｇ  碍子係止部
Ｂｔ  末端部
Ｂｗ  電線係止部
Ｇ  碍子
Ｗ  電線
【図１】
0005946882.tif 000002
【図２】
0005946882.tif 000003
【図３】
0005946882.tif 000004
【図４】
0005946882.tif 000005
【図５】
0005946882.tif 000006
【図６】
0005946882.tif 000007
【図７】
0005946882.tif 000008
【図８】
0005946882.tif 000009
【図９】
0005946882.tif 000010
【図１０】
0005946882.tif 000011
【図１１】
0005946882.tif 000012
【図１２】
0005946882.tif 000013
【図１３】
0005946882.tif 000014
【図１４】
0005946882.tif 000015
【図１５】
0005946882.tif 000016
【図１６】
0005946882.tif 000017